(57)【特許請求の範囲】
【請求項１】
一方の端部に目の横幅より大きい開口が設けられ、コンタクトレンズの裏面が前記開口を向くように、前記開口から導入された装着液及び前記装着液に浸漬した前記コンタクトレンズを保持可能である収容容器と、
前記端部の外周側から延出し、前記収容容器と連通した液溜り流路を形成する筒体と、
前記筒体の延出端から前記開口よりも一方へ延設され、前記液溜り流路と連通し、前記収容容器から流出した前記装着液を貯留する液溜りと、
を有するコンタクトレンズ装着補助具。
【請求項２】
前記収容容器は、前記液溜り流路に連通し、前記収容容器内の前記装着液を排出する排出口を前記端部の内周面に有する請求項１に記載のコンタクトレンズ装着補助具。
【請求項３】
前記収容容器は、前記装着液に浸漬した前記コンタクトレンズを包装した包装容器をセット可能な請求項１に記載のコンタクトレンズ装着補助具。
【請求項４】
前記収容容器は、周壁の一方の端面に滑り止めを有する請求項１に記載のコンタクトレンズ装着補助具。
【請求項５】
前記収容容器は、前記コンタクトレンズの径より小さい内径縮小部を有する請求項１に記載のコンタクトレンズ装着補助具。
【発明の詳細な説明】
【技術分野】
【０００１】
本発明は、コンタクトレンズ装着補助具に関する。
【背景技術】
【０００２】
従来、コンタクトレンズの装着を補助するコンタクトレンズ装着補助具がある。例えば、特許第５２０８３２０号公報には、コンタクトレンズ収納容器から直接手で触れることなくコンタクトレンズを取り出し、該コンタクトレンズを、該コンタクトレンズに直接手で触れることなく目に装着するためのコンタクトレンズ装着器具へ載置させるためのコンタクトレンズ装着補助具が開示される。
【先行技術文献】
【特許文献】
【０００３】
【特許文献１】特許第５２０８３２０号公報
【発明の概要】
【発明が解決しようとする課題】
【０００４】
しかし、従来のコンタクトレンズ装着補助具では、装着方法が手で行う方法と同じであるため、コンタクトレンズを持った手の中指で下瞼のまつ毛の生え際を下げ、反対の手の人差し指で上瞼のまつ毛の生え際を上げて目を大きく開け、コンタクトレンズをゆっくり角膜に近づけ角膜にのせるといった手先の器用さが求められ、装着時、鏡も必須となり手間がかかり、慣れるまでの時間を要することがある。
【０００５】
そこで、本発明は、より簡便に、使用者にコンタクトレンズを装着することができるコンタクトレンズ装着補助具を提供することを目的とする。
【課題を解決するための手段】
【０００６】
本発明の一態様のコンタクトレンズ装着補助具は、一方の端部に目の横幅より大きい開口が設けられ、コンタクトレンズの裏面が前記開口を向くように、前記開口から導入された装着液及び前記装着液に浸漬した前記コンタクトレンズを保持可能である収容容器と、前記端部の外周側から延出し、前記収容容器と連通した液溜り流路を形成する筒体と、前記筒体の延出端から前記開口よりも一方へ延設され、前記液溜り流路と連通し、前記収容容器から流出した前記装着液を貯留する液溜りと、を有する。
【発明の効果】
【０００８】
本発明によれば、より簡便に、使用者にコンタクトレンズを装着することができるコンタクトレンズ装着補助具を提供することができる。
【図面の簡単な説明】
【０００９】
【図１】実施形態に係るコンタクトレンズ装着補助具の一例を示す斜視図である。
【図２】実施形態に係るコンタクトレンズ装着補助具の一例を示す断面図である。
【図３】実施形態に係るコンタクトレンズ装着補助具の一例を示す平面図である。
【図４Ａ】実施形態に係るコンタクトレンズ装着補助具の収容容器にセットされる包装容器に包装されたコンタクトレンズの一例を示す斜視図である。
【図４Ｂ】実施形態に係るコンタクトレンズ装着補助具の収容容器にセットされる包装容器に包装されたコンタクトレンズの一例を示す断面図である。
【図５】実施形態に係るコンタクトレンズ装着補助具を目にあてがい顔を上へ向けた状態を説明する説明図である。
【図６】実施形態に係るコンタクトレンズ装着補助具において、収容容器から液溜りに流出する装着液の流れを説明する説明図である。
【図７】実施形態に係るコンタクトレンズ装着補助具において、コンタクトレンズが角膜に装着される状態を説明する説明図である。
【図８】実施形態に係るコンタクトレンズ装着補助具の収容容器の内側にコンタクトレンズ包装容器を嵌めた状態を示す断面図である。
【発明を実施するための形態】
【００１０】
（構成）  
以下、図面を参照しながら、本発明の実施形態について説明する。なお、以下に説明する実施形態は、本発明を具体化した一例であって、本発明の構成をその具体例のみに限定するものではない。
【００１１】
図１、図２、及び図３はコンタクトレンズ装着補助具１の一例を示す図である。図１が斜視図であり、図２が断面図であり、図３が平面図である。
【００１２】
図１に示すように、コンタクトレンズ装着補助具１は、収容容器１０、筒体２０、及び液溜り３０を有する。
【００１３】
図２に示すように、収容容器１０は、開口１１、周壁１２、周縁流路１３、排出口１４、底板１５、内径縮小部１６、及び滑り止め１７を有する。
【００１４】
開口１１は、収容容器１０の一方の端部に設けられ、目の横幅よりも大きい円形を有する。
【００１５】
周壁１２は、開口１１の周縁から他方へ延在する。
【００１６】
周縁流路１３は、周壁１２の一方の端部の内部に設けられ、周方向に延在する。
【００１７】
排出口１４は、周壁１２の一方の端部の内周面に設けられ、周縁流路１３と連通し、装着液ＬをコンタクトレンズＣの中心に対し対称に流す。本実施形態では、排出口１４は、周壁１２の一方の端部の内周面において、液溜り流路２１の延在方向と直交する方向に、互いに対向するように、２つ設けられる。すなわち、収容容器１０は、液溜り流路２１に連通し、収容容器１０内の装着液Ｌを排出する排出口１４を周壁１２の一方の端部の内周面に有する。
【００１８】
底板１５は、周壁１２の他方の端部に連設される。
【００１９】
内径縮小部１６は、コンタクトレンズＣを保持するための周壁１２に設けられたコンタクトレンズＣの径よりも小さい凸部１６である。コンタクトレンズＣよりも他方に貯留された装着液Ｌは、コンタクトレンズ装着補助具１を目にあてがったまま顔を上へ向けたとき、コンタクトレンズＣを一方へ押し流す。
【００２０】
滑り止め１７は、周壁１２の一方の端面に設けられる。図３の例では、滑り止め１７は、周壁１２の一方の端面において、液溜り流路２１の延在方向と直交する方向に、互いに対向するように２つ設けられる。筒体２０及び液溜り３０が顔の側方を向くように、眉Ｂよりも顔の下方、かつ鼻Ｎの側方に収容容器１０を配置したとき、滑り止め１７は、目の上瞼及び下瞼に当たる位置に配置される。滑り止め１７は、例えば、使用者の上瞼及び下瞼の各々との間に摩擦力を生じさせる粗面を有する。
【００２１】
筒体２０は、収容容器１０の一方の端部の外周側から延出し、内側に周縁流路１３と連通する液溜り流路２１を有する。筒体２０は、例えば、短角筒形状を有する。（図２）。
【００２２】
液溜り３０は、筒体２０の延出端から一方へ延設した４つの側板３１と、４つの側板３１の一方側に連設される端板３２とを有する箱体であり、収容容器１０から周縁流路１３及び液溜り流路２１を介して流出した装着液Ｌを開口１１よりも一方に貯留する。端板３２は、着脱可能な液ドレンキャップ３３を有する。（図２）。
【００２３】
（作用）  
次に、コンタクトレンズ装着補助具１の作用について説明をする。図４Ａ及び図４Ｂは、コンタクトレンズ包装容器４０に包装されたコンタクトレンズＣの一例を示す図である。図４Ａが斜視図であり、図４Ｂが断面図である。図５は、コンタクトレンズ装着補助具１を目にあてがい顔を上へ向けた状態を説明する説明図である。図６は、収容容器１０から液溜り３０に流出する装着液Ｌの流れを説明する説明図である。図７は、コンタクトレンズＣが角膜に装着される状態を説明する説明図である。
【００２４】
図４Ａ及び図４Ｂに示すように、コンタクトレンズＣは１個ずつ装着液Ｌに浸漬されてコンタクトレンズ包装容器４０に包装される。コンタクトレンズ包装容器４０は、カップ形状を有し、シート状の蓋４１によって開口部がシールされる。
【００２５】
使用者は、水面の位置が収容容器１０の上縁近くに達するように、収容容器１０に装着液Ｌを導入する。続いて、使用者は、装着液Ｌに浸漬するように、コンタクトレンズＣの裏面が開口１１を向いた状態で内径縮小部１６の上縁に置く（図２）。
【００２６】
使用者は、顔を下向きにして、開口１１内に収まるように、目をコンタクトレンズ装着補助具１にあてがう。その際、使用者は、上瞼下端と下瞼上端の間隔がコンタクトレンズＣの径よりも大きくなるように、摩擦力によって一方の滑り止め１７で上瞼を保持し、他方の滑り止め１７で下瞼を保持し、目を大きく開いた状態を維持する。
【００２７】
次に、図５に示すように、使用者は、コンタクトレンズ装着補助具１を目にあてがったまま顔を上へ向ける。顔を上向きにすると、図６に示すように、装着液Ｌは、重力によって排出口１４から周縁流路１３及び液溜り流路２１を通り、液溜り３０にゆっくりと流出する。図７に示すように、コンタクトレンズＣは、内径縮小部１６に貯留された装着液Ｌに押され、収容容器１０内の装着液Ｌの減少に応じて下降する。このとき、コンタクトレンズＣが角膜からずれないように、装着液Ｌは、収容容器１０内からコンタクトレンズＣの中心に対し対称に流出する。
【００２８】
コンタクトレンズＣの装着後、次回の使用に備え、使用者は、液ドレンキャップ３３を取外し、液溜り３０に貯留された装着液Ｌを排出する。
【００２９】
すなわち、コンタクトレンズ装着補助具１は、収容容器１０、筒体２０、及び液溜り３０を有する。収容容器１０は、一方の端部に目の横幅より大きい開口１１が設けられ、コンタクトレンズＣの裏面が開口１１を向くように、開口１１から導入された装着液Ｌ及び装着液Ｌに浸漬したコンタクトレンズＣを保持可能である。筒体２０は、端部の外周側から延出し、収容容器１０と連通した液溜り流路２１を形成する。液溜り３０は、筒体２０の延出端から開口１１よりも一方へ延設され、液溜り流路２１と連通し、収容容器１０から流出した装着液Ｌを貯留する。
【００３０】
また、コンタクトレンズ装着方法は、一方の端部に目の横幅より大きい開口１１が設けられた収容容器１０と、端部の外周側から延出し、収容容器１０と連通した液溜り流路２１を形成する筒体２０と、筒体２０の延出端から開口１１よりも一方へ延設され、液溜り流路２１と連通する液溜り３０を用意し、収容容器１０によって、コンタクトレンズＣの裏面が開口１１を向くように、開口１１から導入された装着液Ｌ及び装着液Ｌに浸漬したコンタクトレンズＣを保持し、コンタクトレンズＣを保持した収容容器１０の開口１１に目をあてがい、目にあてがわれた状態で開口１１を下方へ向け、液溜り流路２１を介し、重力によって収容容器１０内の装着液Ｌを液溜り３０に流出させ、収容容器１０内の装着液Ｌの減少に応じてコンタクトレンズＣを開口１１へ移動させ、コンタクトレンズＣを目に装着する。
【００３１】
実施形態によれば、コンタクトレンズ装着補助具１は、より簡便に、使用者にコンタクトレンズＣを装着することができる。
【００３２】
なお、実施形態では、コンタクトレンズＣを内径縮小部１６の上縁に置いたが、コンタクトレンズＣを置くのではなく、図８に示すように蓋４１をはがした包装容器４０を収容容器１０にセットするようにしてもよい。これにより、使用者は、より衛生的に、コンタクトレンズＣ及び装着液Ｌを収容容器１０に導入することができる。
【００３３】
なお、実施形態では、排出口１４が周壁１２の一方の端部の内周面に２つ設けられた例を説明したが、排出口１４は、内周面に３つ以上設けられてもよい。
【００３４】
なお、実施形態では、コンタクトレンズ装着補助具１は、１つの収容容器１０によって左右いずれかの目にコンタクトレンズＣを装着可能であるが、互いに連設された右目用の収容容器１０と左目用の収容容器１０を有し、左右両目にコンタクトレンズＣを装着可能に構成してもよい。
【００３５】
本発明は、上述した実施の形態に限定されるものではなく、本発明の要旨を変えない範囲において、種々の変更、改変等が可能である。
【符号の説明】
【００３６】
１・・・コンタクトレンズ装着補助具
１０・・・収容容器
１１・・・開口
１２・・・周壁
１３・・・周縁流路
１４・・・排出口
１５・・・底板
１６・・・内径縮小部
１７・・・滑り止め
２０・・・筒体
２１・・・液溜り流路
３０・・・液溜り
３１・・・側板
３２・・・端板
３３・・・液ドレンキャップ
４０・・・コンタクトレンズ包装容器
４１・・・蓋
Ｃ・・・コンタクトレンズ
Ｌ・・・装着液
Ｂ・・・眉
Ｎ・・・鼻
【要約】
【課題】  より簡便に、使用者にコンタクトレンズを装着することができるコンタクトレンズ装着補助具を提供する。
【解決手段】  コンタクトレンズ装着補助具１は、一方の端部に目の横幅より大きい開口１１が設けられ、コンタクトレンズＣの裏面が開口１１を向くように、開口１１から導入された装着液Ｌ、及び装着液Ｌに浸漬したコンタクトレンズＣを保持可能である収容容器１０と、端部の外周側から延出し、収容容器１０と連通した液溜り流路２１を形成する筒体２０と、筒体２０の延出端から開口１１よりも一方へ延設され、液溜り流路２１と連通し、収容容器１０から流出した装着液Ｌを貯留する液溜り３０を有する。
【選択図】図２【図１】
0006792919.tif 000002
【図２】
0006792919.tif 000003
【図３】
0006792919.tif 000004
【図４Ａ】
0006792919.tif 000005
【図４Ｂ】
0006792919.tif 000006
【図５】
0006792919.tif 000007
【図６】
0006792919.tif 000008
【図７】
0006792919.tif 000009
【図８】
0006792919.tif 000010